(57)【特許請求の範囲】
【請求項１】
入力される画像信号に応じて画像を表示する表示装置であって、
垂直方向に配列された複数のアドレス電極、水平方向に配列された複数のスキャン電極、水平方向に配列されたサステイン電極、ならびに前記複数のアドレス電極、前記複数のスキャン電極および前記複数のサステイン電極の交点に設けられた複数の画素を含む表示部と、
１フィールドを複数のサブフィールドに分割してサブフィールドごとに画素を駆動して階調表示を行うために、１フィールドの画像信号をサブフィールドごとのサブフィールド画像信号に変換するサブフィールド変換手段と、
各サブフィールドの書き込み期間において、前記サブフィールド画像信号に応じて該当するアドレス電極に書き込みパルスを印加する第１の駆動手段と、
各サブフィールドの書き込み期間において、前記複数のスキャン電極に順次書き込みパルスを印加し、維持期間において、前記複数のスキャン電極および前記複数のサステイン電極に維持パルスを印加することにより、前記表示部内の画素を発光または非発光させる第２の駆動手段と、
前記サブフィールド画像信号から前記第２の駆動手段の温度に対応する温度推定値を推定する温度推定手段と、
前記温度推定値の増加に応じて前記維持パルスの数を減少させるように前記第２の駆動手段を制御する制御手段とを備え、
前記温度推定手段は、前記サブフィールド画像信号に基づいて前記維持パルスの数に対応する値を積分するとともに、積分した値から前記第２の駆動手段の放熱分を減算して前記温度推定値を求めることを特徴とする表示装置。
【発明の詳細な説明】
【０００１】
【発明の属する技術分野】
本発明は、入力される画像信号に応じて画像を表示する表示装置に関するものである。
【０００２】
【従来の技術】
ＰＤＰ（プラズマディスプレイパネル）を用いたプラズマディスプレイ装置は、薄型化および大画面化が可能であるという利点を有する。このプラズマディスプレイ装置では、画素を構成する放電セルの放電の際の発光を利用することにより画像を表示している。この放電セルを発光させるため、放電セルを構成する各電極に高電圧の駆動パルスを印加するために複数の駆動回路が用いられる。
【０００３】
この駆動回路のうち走査・維持駆動回路は、維持期間において画像信号の輝度に比例したパルス数の維持パルスを複数のスキャン電極およびサステイン電極に印加する。
【０００４】
【発明が解決しようとする課題】
しかしながら、輝度の高い画像を表示する場合、走査・維持駆動回路により複数のスキャン電極およびサステイン電極に多数の維持パルスが印加され、ＰＤＰの充放電回数が増加するため、走査・維持駆動回路の消費電力が増大する。また、このとき、走査・維持駆動回路の温度が上昇し、走査・維持駆動回路が破損する場合もある。
【０００５】
本発明の目的は、維持パルスを印加する駆動手段の消費電力を低減することができるとともに、駆動手段の温度上昇を抑制することができる表示装置を提供することである。
【０００６】
（１）第１の発明
第１の発明に係る表示装置は、入力される画像信号に応じて画像を表示する表示装置であって、垂直方向に配列された複数のアドレス電極、水平方向に配列された複数のスキャン電極、水平方向に配列されたサステイン電極、ならびに複数のアドレス電極、複数のスキャン電極および複数のサステイン電極の交点に設けられた複数の画素を含む表示部と、１フィールドを複数のサブフィールドに分割してサブフィールドごとに画素を駆動して階調表示を行うために、１フィールドの画像信号をサブフィールドごとのサブフィールド画像信号に変換するサブフィールド変換手段と、各サブフィールドの書き込み期間において、サブフィールド画像信号に応じて該当するアドレス電極に書き込みパルスを印加する第１の駆動手段と、各サブフィールドの書き込み期間において、複数のスキャン電極に順次書き込みパルスを印加し、維持期間において、複数のスキャン電極および複数のサステイン電極に維持パルスを印加することにより、表示部内の画素を発光または非発光させる第２の駆動手段と、サブフィールド画像信号から第２の駆動手段の温度に対応する温度推定値を推定する温度推定手段と、温度推定値の増加に応じて維持パルスの数を減少させるように第２の駆動手段を制御する制御手段とを備え、温度推定手段は、サブフィールド画像信号に基づいて維持パルスの数に対応する値を積分するとともに、積分した値から第２の駆動手段の放熱分を減算して温度推定値を求めるものである。
【０００７】
本発明に係る表示装置においては、各サブフィールドの書き込み期間において、第１の駆動手段によりサブフィールド画像信号に応じて該当するアドレス電極に書き込みパルスが印加されるとともに、第２の駆動手段により複数のスキャン電極に順次書き込みパルスが印加され、維持期間において、複数のスキャン電極および複数のサステイン電極に維持パルスが印加されることにより、表示部内の画素が発光または非発光される。サブフィールド画像信号から第２の駆動手段の温度に対応する温度推定値が推定され、この温度推定値の増加に応じて維持パルスの数を減少させるように第２の駆動手段が制御される。したがって、温度推定値が大きくなった場合すなわち第２の駆動手段の温度が上昇した場合に、維持パルスの数を減少させて第２の駆動手段から表示部の画素への充放電回数を減少させることができるので、第２の駆動手段の消費電力を低減することができるとともに、第２の駆動手段の温度上昇を抑制することができる。
【０００９】
また、サブフィールドごとのサブフィールド画像信号から第２の駆動手段の温度を推定しているので、階調表示を行う場合に、実際に駆動される状態に応じて第２の駆動手段の温度を高精度に推定することができる。
【００１３】
さらに、維持パルスの数に対応する値を積分するとともに放熱分を減算しているので、第２の駆動手段の実際の温度により近い温度推定値を求めることができ、より高精度に維持パルスの数を制御することができる。
【００２４】
【発明の実施の形態】
以下、本発明に係る表示装置の一例としてＡＣ型プラズマディスプレイ装置について説明する。なお、本発明が適用される表示装置は、ＡＣ型プラズマディスプレイ装置に特に限定されず、入力される画像信号に応じて画像を表示することにより維持期間において維持パルスを印加する駆動手段の温度が変化するものであれば、他の表示装置にも同様に適用することができる。
【００２５】
図１は、本発明の第１の実施の形態によるプラズマディスプレイ装置の構成を示すブロック図である。
【００２６】
図１に示すプラズマディスプレイ装置は、画像信号制御器１、画像−サブフィールド対応付け器２、サブフィールド処理器３、温度推定器４、コントローラ５、走査・維持駆動回路６、データ駆動回路７およびプラズマディスプレイパネル８を備える。
【００２７】
画像信号制御器１には、垂直同期信号および水平同期信号を含む画像信号ＶＤが入力される。画像信号制御器１は、入力された画像信号ＶＤにコントローラ５から出力される乗算係数ｋを乗算した画像信号ＶＦを画像−サブフィールド対応付け器２へ出力する。
【００２８】
画像−サブフィールド対応付け器２は、１フィールドを複数のサブフィールドに分割して表示するため、１フィールドの画像信号ＶＦからサブフィールドごとの画像データであるサブフィールド画像データＳＢを作成し、サブフィールド処理器３へ出力する。
【００２９】
サブフィールド処理器３は、サブフィールド画像データＳＢおよびサブフィールドの重み付け倍数ｎ等からデータドライバ駆動制御信号ＡＣ、スキャンドライバ駆動制御信号およびサステインドライバ駆動制御信号ＳＣを作成し、データドライバ駆動制御信号ＡＣをデータ駆動回路７へ出力するとともに、スキャンドライバ駆動制御信号およびサステインドライバ駆動制御信号ＳＣを走査・維持駆動回路６へ出力する。また、サブフィールド処理器３は、サブフィールド画像データＳＢおよびサブフィールドの重み付け倍数ｎ等から各サブフィールドの維持パルス数を決定し、決定した維持パルス数を表す維持パルス数信号ＰＮを温度推定器４へ出力する。
【００３０】
温度推定器４は、スキャンドライバ駆動制御信号およびサステインドライバ駆動制御信号ＳＣに含まれる維持パルス数信号ＰＮを用いて走査・維持駆動回路６の温度に対応する温度推定値ＴＥを演算し、温度推定値ＴＥをコントローラ５へ出力する。なお、温度推定器４はサブフィールド処理器３から出力される維持パルス数信号ＰＮを用いて走査・維持駆動回路６の温度を推定したが、走査・維持駆動回路６の温度を推定できれば、他の信号を用いてもよい。
【００３１】
コントローラ５は、温度推定値ＴＥに応じた乗算係数ｋを画像信号制御器１へ出力するとともに、温度推定値ＴＥに応じたサブフィールドの重み付け倍数ｎをサブフィールド処理器３へ出力する。
【００３２】
プラズマディスプレイパネル８は、複数のアドレス電極（データ電極）、複数のスキャン電極（走査電極）および複数のサステイン電極（維持電極）を含む。複数のアドレス電極は、画面の垂直方向に配列され、複数のスキャン電極および複数のサステイン電極は、画面の水平方向に配列されている。また、複数のサステイン電極は共通に接続されている。アドレス電極、スキャン電極およびサステイン電極の各交点には、放電セルが形成され、各放電セルが画面上の画素を構成する。
【００３３】
データ駆動回路７は、プラズマディスプレイパネル８の複数のアドレス電極に接続されている。走査・維持駆動回路６は、プラズマディスプレイパネル８の複数のスキャン電極およびサステイン電極に接続されている。具体的には、走査・維持駆動回路６は、走査駆動回路および維持駆動回路から構成され、走査駆動回路が複数のスキャン電極に接続され、維持駆動回路が複数のサステイン電極に接続されている。
【００３４】
データ駆動回路７は、データドライバ駆動制御信号ＡＣに従い、初期化期間において、壁電荷を調整するための初期化パルスをアドレス電極に印加する。走査・維持駆動回路６は、スキャンドライバ駆動制御信号およびサステインドライバ駆動制御信号ＳＣに従い、初期化期間において、壁電荷を調整するための初期化パルスをスキャン電極およびサステイン電極に印加する。これにより、各電極の壁電荷が、以降のアドレス放電および維持放電に適した壁電荷に調整される。
【００３５】
データ駆動回路７は、データドライバ駆動制御信号ＡＣに従い、書き込み期間において、画像データに応じてプラズマディスプレイパネル８の該当するアドレス電極に書き込みパルスを印加する。走査・維持駆動回路６の走査駆動回路は、スキャンドライバ駆動制御信号に従い、書き込み期間において、シフトパルスを垂直走査方向にシフトしつつ複数のスキャン電極に書き込みパルスを順に印加する。これにより、該当する放電セルにおいてアドレス放電が行われる。
【００３６】
走査・維持駆動回路６の走査駆動回路は、スキャンドライバ駆動制御信号に従い、維持期間において、周期的な維持パルスをプラズマディスプレイパネル８の複数のスキャン電極に印加する。一方、走査・維持駆動回路６の維持駆動回路は、サステインドライバ駆動制御信号に従い、複数のサステイン電極にスキャン電極の維持パルスに対して１８０度位相のずれた維持パルスを同時に印加する。これにより、該当する放電セルにおいて維持放電が行われ、各画素がサブフィールドごとに発光または非発光される。
【００３７】
図２は、図１に示す画像信号制御器１の構成を示すブロック図である。図２に示す画像信号制御器１は、乗算回路１１を含む。
【００３８】
乗算回路１１は、入力された画像信号ＶＤにコントローラ５から出力される乗算係数ｋを乗算し、乗算後の画像信号ＶＦを画像−サブフィールド対応付け器２へ出力する。このようにして、画像信号ＶＤが乗算係数により補正された画像信号ＶＦに変換される。
【００３９】
図３は、図１に示す温度推定器４の構成を示すブロック図である。図３に示す温度推定器４は、加算器４１、メモリ４２および放熱分算出回路４３を含む。
【００４０】
加算器４１は、サブフィールド処理器３から出力される維持パルス数信号ＰＮから１フィールド分の維持パルス数に対応した値と放熱分算出回路４３の出力とを加算し、メモリ４２へ出力する。メモリ４２は、加算器４１の出力を１フィールドごとに記憶し、記憶している値を温度推定値ＴＥとして出力するとともに、放熱分算出回路４３へ出力する。放熱分算出回路４３は、メモリ４２から出力される温度推定値ＴＥに（１−α）を乗算して温度推定値ＴＥから放熱分を減算した値を加算器４４へ出力する。ここで、αは、放熱分に相当し、０＜α＜１を満たす所定の係数である。
【００４１】
上記の処理により、１フィールドごとに、温度推定値から放熱分を減算した値が、サブフィールド処理器３から出力される１フィールド分の維持パルス数に対応した値に加算され、加算結果が温度推定値ＴＥとして出力される。このように、維持パルスの数に対応した値を積分するとともに放熱分を減算しているので、走査・維持駆動回路６の実際の温度により近い温度推定値ＴＥを求めることができる。
【００４２】
なお、維持パルス数信号ＰＮの値は、維持パルス数に対応した値であれば、種々の値を用いることができ、維持パルス数そのものを用いてもよい。また、走査・維持駆動回路６が走査駆動回路および維持駆動回路から構成され、さらに、走査駆動回路が初期化パルスを印加するための初期化回路、維持パルスを印加するための維持回路およびドライバ回路等から構成され、維持駆動回路が維持パルスを印加するための維持回路等から構成されている場合、各維持回路の温度に対応する温度推定値を求めてもよい。
【００４３】
本実施の形態において、プラズマディスプレイパネル８が表示部に相当し、走査・維持駆動回路６が第２の駆動手段に相当し、データ駆動回路７が第１の駆動手段に相当し、温度推定器４が温度推定手段に相当し、画像信号制御器１、サブフィールド処理器３およびコントローラ５が制御手段に相当し、画像−サブフィールド対応付け器２がサブフィールド変換手段に相当する。
【００４４】
次に、上記のように構成されたプラズマディスプレイ装置の動作について説明する。上記のアドレス放電および維持放電を行う際、図１に示すプラズマディスプレイ装置では、階調表示駆動方式として、ＡＤＳ（Address Display-Period Separation ：アドレス・表示期間分離）方式が用いられる。ＡＤＳ方式では、１フィールドを複数のサブフィールドに時間的に分割し、各サブフィールドは、初期化期間、書き込み期間、維持期間等に分離され、初期化期間において各サブフィールドのセットアップ処理が行われ、書き込み期間において点灯される放電セルを選択するためのアドレス放電が行われ、維持期間において表示のための維持放電が行われる。
【００４５】
図４は、図１のプラズマディスプレイパネル８におけるスキャン電極およびサステイン電極の駆動電圧の一例を示すタイミング図である。
【００４６】
各サブフィールドにおいて、初期化期間には、複数のスキャン電極に初期化パルス（セットアップパルス）Ｐｓｅｔが同時に印加される。次に、書き込み期間には、複数のスキャン電極に書き込みパルスＰｗが順に印加される。これにより、プラズマディスプレイパネル８の該当する放電セルにおいてアドレス放電が起こる。
【００４７】
次に、維持期間において、複数のスキャン電極に維持パルスＰｓｃが周期的に印加され、複数のサステイン電極に維持パルスＰｓｕが周期的に印加される。維持パルスＰｓｕの位相は、維持パルスＰｓｃの位相に対して１８０°ずれている。これにより、アドレス放電に続いて維持放電が起こる。
【００４８】
上記のようしてに、各サブフィールドの維持期間において、複数の維持パルスＰｓｃが複数のスキャン電極に印加されるとともに、複数の維持パルスＰｓｕが複数のサステイン電極に周期的に印加され、プラズマディスプレイパネル８が充放電される。
【００４９】
本実施の形態では、上記のＡＤＳ方式に従い、例えば、総階調数が１６でかつ１フィールドを４つのサブフィールドに分割して表示する５種類の発光形式を用いた階調表示方法を用いている。なお、本発明に適用される階調表示方法は以下の例に特に限定されず、他の階調表示方式を用いてもよい。
【００５０】
図５は、各階調レベルで表示画面を表示する場合に維持放電が行われるべきサブフィールドの一例を示す図である。図５において、各サブフィールドＳＦ１〜ＳＦ４は、例えば、１、２、４、８と順に明るさが重み付けされており、総階調数は１６となる。各重み付けは、表示画面の輝度に比例し、各放電セルにおける維持パルス数に比例する値である。
【００５１】
図５では、各階調レベルで放電セルを発光させるために使用されるサブフィールドＳＦ１〜ＳＦ４を○により表示している。例えば、階調レベル１で放電セルを発光させるために、サブフィールドＳＦ１（重み付け１）を用いればよく、階調レベル３で放電セルを発光させるためには、サブフィールドＳＦ１とサブフィールドＳＦ２（重み付け２）とを用いればよく、各サブフィールドの対応する欄に○が付されている。このように、各サブフィールドを組み合わせて重み付けに応じた維持パルス数により放電セルを発光させれば、０〜１５までの各階調レベルで階調表示を行うことができる。なお、サブフィールドの分割数および重み付け等は、上記の例に特に限定されず、種々の変更が可能である。
【００５２】
次に、上記のように重み付けがされたサブフィールドＳＦ１〜ＳＦ４を用いた５種類の発光形式について説明する。図６は、５種類の発光形式Ａ〜Ｅの各サブフィールドＳＦ１〜ＳＦ４における維持パルス数を示す図である。
【００５３】
図６に示す発光形式Ａ〜Ｅは、後述するように温度推定値ＴＥの大きさに応じて重み付け倍数ｎを設定することにより選択される。すなわち、重み付け倍数ｎ＝１の場合、発光形式Ｅが選択され、重み付け倍数ｎ＝２の場合、発光形式Ｄが選択され、重み付け倍数ｎ＝３の場合、発光形式Ｃが選択され、重み付け倍数ｎ＝４の場合、発光形式Ｂが選択され、重み付け倍数ｎ＝５の場合、発光形式Ａが選択される。なお、重み付け倍数ｎは、上記の整数に特に限定されず、種々の値を用いることができ、実数等を用いてもよい。
【００５４】
発光形式Ａは、総維持パルス数が７５個であり、サブフィールドＳＦ１では維持パルス数が５個、サブフィールドＳＦ２では維持パルス数が１０個、サブフィールドＳＦ３では維持パルス数が２０個、サブフィールドＳＦ４では維持パルス数が４０個である。
【００５５】
発光形式Ｂは、総維持パルス数が６０個であり、発光形式Ｃは、総維持パルス数が４５個であり、発光形式Ｄは総維持パルス数が３０個であり、発光形式Ｅは総維持パルス数が１５個であり、それぞれ各サブフィールドＳＦ１〜ＳＦ４において図示のような維持パルス数が割り当てられている。
【００５６】
このように、各サブフィールドＳＦ１〜ＳＦ４を組み合わせて１６階調表示を行う場合、同一階調レベルでも、各発光形式Ａ〜Ｅにより維持パルス数が異なり輝度が相違する。すなわち、発光形式Ｅによる維持パルス数を基準（１倍）とすると、発光形式Ｄの維持パルス数は発光形式Ｅの２倍となり、発光形式Ｃの維持パルス数は発光形式Ｅの３倍となり、発光形式Ｂの維持パルス数は発光形式Ｅの４倍となり、発光形式Ａの維持パルス数は発光形式Ｅの５倍となる。したがって、発光形式Ａから発光形式Ｅへ順次発光形式を切り替えていくことにより、総階調数をあまり変化させることなく、維持パルス数を減少して表示画面の輝度を低下させることができる。
【００５７】
図７は、上記の発光形式Ａ〜Ｅを用いた場合の各サブフィールドの維持期間における維持パルス数を示す図である。図７に示すように、重み付け倍数ｎに応じて維持パルス数が制御され、サブフィールドＳＦ１の維持期間の維持パルス数は１×ｎ個となり、以降同様に各サブフィールドＳＦ２〜ＳＦ４の維持期間の維持パルス数は、２×ｎ個、３×ｎ個、４×ｎ個、５×ｎ個となる。
【００５８】
このように、サブフィールド処理器３が重み付け倍数ｎに応じて各サブフィールドの維持パルス数を制御することにより、発光形式Ａ〜Ｅの中から温度推定値ＴＥに応じた発光形式を選択することができる。
【００５９】
次に、上記の発光形式Ａ〜Ｅを組み合わせて維持放電を行う場合の温度推定値ＴＥと乗算係数ｋとの関係について説明する。図８は、発光形式Ａ〜Ｅを組み合わせて維持放電を行う場合の温度推定値ＴＥと乗算係数ｋとの関係を示す図である。なお、図８に示す温度推定値ＴＥと乗算係数ｋとの関係は、コントローラ５に予め記憶され、温度推定器４により推定された温度推定値ＴＥに対応する乗算係数ｋがコントローラ５から出力される。
【００６０】
図８に示すように、温度推定値ＴＥが所定の基準値Ｔｒｅｆより小さい場合、乗算係数ｋは１．０に設定される。この場合、走査・維持駆動回路６の温度は温度上昇を抑制する必要があるほど上昇していないので、後述するように発光形式Ａが選択され、画像信号はそのまま出力され、画像信号に応じたパルス数で維持パルスがスキャン電極および維持電極に印加される。
【００６１】
次に、温度推定値ＴＥが基準値Ｔｒｅｆ以上に増加した場合、走査・維持駆動回路６の温度上昇を抑制するために後述するように発光形式が選択されるとともに、乗算係数ｋが制御される。例えば、温度推定値ＴＥがＴｒｅｆからＴａに増加するに従い、乗算係数ｋが１．０から０．８へ線形的に減少される。同様に、温度推定値ＴＥがＴａからＴｂに増加するに従い、乗算係数ｋが１．０から０．７５へ減少され、ＴｂからＴｃに増加するに従い、乗算係数ｋが１．０から０．６７へ減少され、ＴｃからＴｄに増加するに従い、乗算係数ｋが１．０から０．５へ減少され、Ｔｄ以上に増加するに従い、乗算係数ｋが１．０から減少される。
【００６２】
また、後述するように、温度推定値ＴＥがＴａ以下のとき、発光形式Ａが選択され、温度推定値ＴＥがＴａ〜Ｔｂのとき、発光形式Ｂが選択され、温度推定値ＴＥがＴｂ〜Ｔｃのとき、発光形式Ｃが選択され、温度推定値ＴＥがＴｃ〜Ｔｄのとき、発光形式Ｄが選択され、温度推定値ＴＥがＴｄ以上のとき、発光形式Ｅが選択される。
【００６３】
ここで、乗算係数ｋが１．０から減少した後、発光形式の切り替え時に１．０に戻すのは、以下の理由による。すなわち、発光形式Ａの総維持パルス数は７５個であり、発光形式Ｂの総維持パルス数が６０個であり、これらのパルス数の比が０．８になる。このため、発光形式Ａから発光形式Ｂに切り替えるときに、乗算係数ｋを０．８から１．０に切り替えることにより、切り替え前後においても温度推定値ＴＥに応じて、画像信号ＶＦと維持パルス数の積で決まる発光パルスの数を一定の比率で低下させることができ、表示画面の輝度を線形的に制御することができる。以降の各発光形式の切り替え時においても同様である。
【００６４】
次に、上記の発光形式Ａ〜Ｅを組み合わせて維持放電を行う場合の温度推定値ＴＥと重み付け倍数ｎとの関係について説明する。図９は、発光形式Ａ〜Ｅを組み合わせて維持放電を行う場合の温度推定値ＴＥと重み付け倍数ｎとの関係を示す図である。なお、図９に示す温度推定値ＴＥと重み付け倍数ｎとの関係は、コントローラ５に予め記憶され、温度推定器４により推定された温度推定値ＴＥに対応する重み付け倍数ｎがコントローラ５から出力される。
【００６５】
図９に示すように、温度推定値ＴＥに対して重み付け倍数ｎが設定され、設定された重み付け倍数ｎによって発光形式が選択される。例えば、温度推定値ＴＥがＴａ以下の場合、重み付け倍数ｎが５に設定され、発光形式Ａが選択される。同様に、温度推定値ＴＥがＴｂ以下の場合、重み付け倍数ｎが４に設定され、発光形式Ｂが選択され、温度推定値ＴＥがＴｃ以下の場合、重み付け倍数ｎが３に設定され、発光形式Ｃが選択され、温度推定値ＴＥがＴｄ以下の場合、重み付け倍数ｎが２に設定され、発光形式Ｄが選択され、温度推定値ＴＥがＴｄ以上の場合、重み付け倍数ｎが１に設定され、発光形式Ｅが選択される。
【００６６】
また、図９は、上記の発光形式を切り替えた時の温度推定値ＴＥと維持パルス数の相対的な変化を示すものといえる。すなわち、発光形式Ａ，Ｂ，Ｃ，Ｄ，Ｅでの維持パルスの相対比は、重み付け倍数ｎと同じで、５：４：３：２：１となる。
【００６７】
図１０は、上記の発光形式の切り替え時に乗算係数ｋおよび重み付け倍数ｎを切り替えた場合の温度推定値ＴＥと、制御後の画像信号ＶＦと維持パルス数の積で決まる発光パルスの数との関係を示す図である。なお、図１０では、維持パルス数を制御しない場合すなわ温度差推定値ＴＥが基準値Ｔｒｅｆより小さい場合の発光パルス数を５（相対値）として表示している。
【００６８】
上記のようにして、温度推定値ＴＥに応じて乗算係数ｋを切り替えるとともに、重み付け倍数ｎを切り替えることにより発光形式Ａ〜Ｅを切り替えることができる。このとき、図９に示すように、温度推定値ＴＥの増加に応じて制御後の維持パルスの数は減少する。
【００６９】
したがって、異なる発光形式Ａ〜Ｅを用いて画像を表示する場合にも、温度推定値ＴＥの増加に応じて制御後の発光パルスの数を線形的に減少させることができ、表示画面の輝度を線形的に制御することができるとともに、総階調数を極端に低下させることなく、維持パルス数を減少させることができる。
【００７０】
なお、発光形式の数等は、上記の例に特に限定されず、種々の変更が可能であり、例えば、重み付け倍数ｎを小刻みに変化させ、維持パルス数を小刻みに減少させるようにしてもよい。
【００７１】
上記のように、本実施の形態では、走査・維持駆動回路６の温度に対応する温度推定値ＴＥが温度推定器４により維持パルス数信号ＰＮから推定され、この温度推定値ＴＥに対応する乗算係数ｋおよび重み付け倍数ｎがコントローラ５から出力される。このとき、乗算係数ｋが画像信号制御器１により画像信号ＶＤに乗算されるとともに、サブフィールド画像信号ＳＢおよび重み付け倍数ｎに応じたパルス数で維持パルスを印加するためのスキャンドライバ駆動制御信号およびサステインドライバ駆動制御信号ＳＣがサブフィールド処理器３から走査・維持駆動回路６へ出力される。
【００７２】
この結果、重み付け倍数ｎに応じたパルス数で維持パルスがスキャン電極およびサステイン電極に印加されるので、温度推定値ＴＥが大きくなった場合すなわち走査・維持駆動回路６の温度が上昇した場合に、維持パルス数を減少させることができる。したがって、プラズマディスプレイパネル８の充放電回数を減少させることができるので、走査・維持駆動回路６の消費電力を低減することができるとともに、走査・維持駆動回路６の温度上昇を抑制することができる。また、重み付け倍数ｎの切り替えによる輝度の変動を乗算係数ｋにより補正しているので、視聴者に視覚的に違和感を与えることもない。
【００７３】
【発明の効果】
本発明によれば、維持パルスを印加する駆動手段の温度に対応する温度推定値に応じて維持パルスの数を変化させることができるので、駆動手段の温度が上昇した場合に維持パルスの数を減少させることができ、駆動手段の消費電力を低減することができるとともに、駆動手段の温度上昇を抑制することができる。
【図面の簡単な説明】
【図１】本発明の第１の実施の形態によるプラズマディスプレイ装置の構成を示すブロック図
【図２】図１に示す画像信号制御器の構成を示すブロック図
【図３】図１に示す温度推定器の構成を示すブロック図
【図４】図１に示すプラズマディスプレイパネルのスキャン電極およびサステイン電極の駆動電圧の一例を示すタイミング図
【図５】各階調レベルで表示画面を表示する場合に維持放電が行われるべきサブフィールドの一例を示す図
【図６】５種類の発光形式の各サブフィールドにおける維持パルス数を示す図
【図７】図６に示す発光形式を用いた場合の各サブフィールドの維持期間における維持パルス数を示す図
【図８】図６に示す発光形式を組み合わせて維持放電を行う場合の温度推定値と乗算係数との関係を示す図
【図９】図６に示す発光形式を組み合わせて維持放電を行う場合の温度推定値と重み付け倍数との関係を示す図
【図１０】図６に示す発光形式の切り替え時に乗算係数および重み付け倍数を切り替えた場合の温度推定値と制御後の発光パルス数との関係を示す図
【符号の説明】
１  画像信号制御器
２  画像−サブフィールド対応付け器
３  サブフィールド処理器
４  温度推定器
５  コントローラ
６  走査・維持駆動回路
７  データ駆動回路
８  プラズマディスプレイパネル
１１  乗算回路
４１  加算器
４２  メモリ
４３  放熱分算出回路
【図１】
0005048894.tif 000002
【図２】
0005048894.tif 000003
【図３】
0005048894.tif 000004
【図４】
0005048894.tif 000005
【図５】
0005048894.tif 000006
【図６】
0005048894.tif 000007
【図７】
0005048894.tif 000008
【図８】
0005048894.tif 000009
【図９】
0005048894.tif 000010
【図１０】
0005048894.tif 000011